(57)【要約】【課題】帯電ローラや感光体ドラムの交換性の向上および、付勢手段が電気接点を兼ねることで、部品の削減と接触不良の問題を解決する。【解決手段】導電性の軸を有する円筒状の帯電ローラ１２１と、電流を供給する電極板１２７と、帯電ローラ１２１の軸の中心線に平行な線を旋回中心として、軸を保持するアーム部材１２２と、回転駆動する感光体１１に帯電ローラ１２１を当接させる圧縮スプリング１２５とを有する帯電装置１２であって、電極板１２７とアーム部材１２２との間の圧縮スプリング１２５で電気的に導通させ、かつ、アーム部材１２２と帯電ローラ１２１は軸受を介して電気的に導通させ、少なくとも一方のアーム部材１２２は、円筒中心線に平行な方向にスライド移動可能である。【選択図】      図１
2009098540.tif 000002
【特許請求の範囲】
【請求項１】
導電性の軸を有する円筒状の帯電部材と、
電流を供給する電極板と、
帯電部材の軸の中心線に平行な線を旋回中心として、軸を保持するアーム部材と、
回転駆動する被帯電体に帯電部材を当接させる付勢手段とを有する帯電装置であって、
前記電極板とアーム部材との間の付勢手段で電気的に導通させ、かつ、アーム部材と帯電部材は軸受を介して電気的に導通させ、
少なくとも一方のアーム部材は、円筒中心線に平行な方向にスライド移動可能である
ことを特徴とした帯電装置。
【請求項２】
請求項１に記載の帯電装置において、
前記付勢手段は、圧縮スプリングであり、
前記アーム部材が、圧縮スプリングの内径又は外形を挿入して保持する突起部を有する
ことを特徴とする帯電装置。
【請求項３】
請求項２に記載の帯電装置において、
前記電極板が、圧縮スプリングを引掛け保持するフック形状部を有する
ことを特徴とする帯電装置。
【請求項４】
請求項２に記載の帯電装置において、
前記電極板が、圧縮スプリングの内径又は外形を保持する凹又は凸部を有する
ことを特徴とする帯電装置。
【請求項４】
潜像を形成する被帯電体と、
被帯電体を帯電させる帯電装置と、
被帯電体上に静電潜像を形成する露光装置と、
静電潜像を現像剤を用いて現像して可視像を形成する現像装置と、
可視像を記録媒体に直接又は中間転写体を介して転写する転写装置と、
前記記録媒体に転写された可視像を定着させる定着装置とを含む電子写真方式の画像形成装置において、
前記画像形成装置は、請求項１ないし４のいずれかに記載の帯電装置を用いる
ことを特徴とする画像形成装置。
【発明の詳細な説明】
【技術分野】
【０００１】
本発明は、複写機、プリンタ、ＦＡＸなどの画像形成に用いる帯電装置及び画像形成装置に関するものである。
【背景技術】
【０００２】
現在、コピ−、プリンタ機の作像プロセス部は保守交換性向上のため小型化しプロセスカ−トリッジユニット（ＰＣＵ）化している。さらに、近年は印字あたりのコスト削減や部品リサイクルのためＰＣＵ内の消耗部品を容易に交換し再利用できる構成が要求されている。特に帯電ローラや感光体ドラムは消耗が早く、また画像品質に大きく影響するため交換頻度の高い部品である。
しかし、ＰＣＵは部品の構成精度の要求が厳しく構成が複雑となっているため帯電ローラや感光体ドラムにおいても分解、組立性はあまり考慮されていなかった。
例えば、図１１のような構成では、感光体ドラムのみを取り外す場合でも、帯電ローラの付勢手段であるスプリングを外し、次に軸受を取り外し、さらに帯電ローラを外すことにより感光体ドラムを取り外すことができる。さらに感光体ドラム交換後に逆の順序で帯電ローラを組立しなければならない。
このような過程で、帯電ローラや感光体ドラムの損傷の可能性があり、さらに工数がかかることでコスト高となっていた。
【０００３】
例えば、特許文献１では、帯電部材と像担持体、及び帯電部材側の電極と装置本体側の電極が各々接触している第１状態と、各々が非接触な第２状態に可逆転換可能であり、一次帯電電源から像担持体アースまでの閉回路で導通検出器を配置して帯電部材の第１状態と第２状態を検出する帯電装置が開示されている。これによって、接触帯電方式において帯電部材は長期間にわたって被帯電体に圧接させたままで放置された場合において圧接面の局部的なへたり変形が発生するのを抑えている。
特許文献２では、ローラの温度による補正と感光体の線速に応じた補正を共に行うことで、感光体を安定して所望の帯電電位に帯電することができる画像形成装置が開示されている。感光体の線速に応じても異ならせて最適な電圧にするため、どの線速であっても安定した帯電電位が得られる。
【０００４】
【特許文献１】特開２０００−２５０２９０号公報
【特許文献２】特開平０９−１０６１４１号公報
【発明の開示】
【発明が解決しようとする課題】
【０００５】
しかし、感光体ドラム交換にける煩雑さを解決するものではない。
そこで、本発明は上記問題点に鑑みてなされたものであり、その課題は、このような帯電ローラや感光体ドラムの交換性の向上および、付勢手段が電気接点を兼ねることで、部品の削減と接触不良の問題を解決すること目的としている。
【課題を解決するための手段】
【０００６】
上記課題を解決する手段である本発明の特徴を以下に挙げる。
本発明の帯電装置は、導電性の軸を有する円筒状の帯電部材と、電流を供給する電極板と、帯電部材の軸の中心線に平行な線を旋回中心として、軸を保持するアーム部材と、回転駆動する被帯電体に帯電部材を当接させる付勢手段とを有する帯電装置であって、前記電極板とアーム部材との間の付勢手段で電気的に導通させ、かつ、アーム部材と帯電部材は軸受を介して電気的に導通させ、少なくとも一方のアーム部材は、円筒中心線に平行な方向にスライド移動可能であることを特徴とする。
また、本発明の帯電装置は、さらに、前記付勢手段は、圧縮スプリングであり、前記アーム部材が、圧縮スプリングの内径又は外形を挿入して保持する突起部を有することを特徴とする。
また、本発明の帯電装置は、さらに、前記電極板が、圧縮スプリングを引掛け保持するフック形状部を有することを特徴とする。
また、本発明の帯電装置は、さらに、前記電極板が、圧縮スプリングの内径又は外形を保持する凹又は凸部を有することを特徴とする。
【０００７】
本発明の画像形成装置は、潜像を形成する被帯電体と、被帯電体を帯電させる帯電装置と、被帯電体上に静電潜像を形成する露光装置と、静電潜像を現像剤を用いて現像して可視像を形成する現像装置と、可視像を記録媒体に直接又は中間転写体を介して転写する転写装置と、前記記録媒体に転写された可視像を定着させる定着装置とを含む電子写真方式の画像形成装置において、上述のいずれかに記載の帯電装置を用いることを特徴とする。
【発明の効果】
【０００８】
上記解決する手段としての帯電装置では、感光体ドラムの交換作業は、付勢手段を取り外したアーム部材に保持された帯電ローラは感光体ドラムから接触を離すことができるため、感光体ドラムの交換作業が容易におこなうことができる。また引き続き、帯電ローラの交換作業は、アーム部材を帯電ローラの中心軸に平行な旋回軸によりスライド移動させることで軸受より取り外せることで簡単におこなうことができる。
【発明を実施するための最良の形態】
【０００９】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１０】
図１は、本発明の画像形成装置の構成を示す概略図である。
図１に示すように、画像形成装置本体の内部において、矢印方向に無端移動する中間転写体３１を備え、その中間転写体３１の下部張架面に、４個の画像形成ユニット１０Ｙ、１０Ｃ、１０Ｍ、１０Ｋが配備されている。これら画像形成ユニットの番号に沿えたＹ、Ｃ、Ｍ、Ｋは、扱うトナーの色と対応させているもので、Ｙはイエロー、Ｃはシアン、Ｍはマゼンタ、Ｋはブラックを意味している。画像形成ユニットに備えられ、中間転写体３１とともに回転する感光体１１に対向して中間転写体３１の内側に１４Ｙ、１４Ｃ、１４Ｍ、１４Ｋの転写ローラを沿えている。なお、被帯電体である感光体１１Ｙから１１Ｋは同間隔で配置され、少なくとも画像形成時にはそれぞれ中間転写体３１との張架部の一部と接触する。
図１において、画像形成装置の動作時に、不図示の駆動源により、矢印方向に回転するよう回転可能に支持された円筒状の感光体１１の周囲に、静電写真プロセスに従い帯電手段である帯電装置１２、現像装置１３、透明電極であるクリ−ニング部材７、光源となる露光装置１８等の作像部材や中間転写体３１を介して転写ローラ１４が配設されている。
感光体１１は、例えば直径３０〜１２０ｍｍ程度のアルミニウム円筒表面に光導電性物質である有機感光層（ＯＰＣ）を形成したものである。アモルファスシリコン（ａ−Ｓｉ）層を形成した感光体１１も採用可能である。またベルト状の感光体１１も採用できる。
【００１１】
露光装置１８は、各色毎の画像データ対応の光を、帯電装置１２で一様に帯電済みの各感光体１１の表面を走査し、静電潜像を形成する。露光装置はレーザ光とポリゴンミラーを用い、形成すべき画像データに応じて変調したビーム光によるレーザスキャン方式、又は発光素子としてＬＥＤ（発光ダイオード）アレイと結像素子の方式を採用できる。
帯電装置１２としてローラ帯電方式のほかに、感光体１１に非接触のチャージ方式も採用できる。
本実施例の現像は、トナーとキャリヤからなるニ成分現像剤を採用している現像方式である。負荷電の感光体１１に対しレーザビームにより各感光体１１の表面に形成された色毎の静電潜像は、感光体１１の帯電極性と同極性（マイナス極性）の所定の色のトナーで現像され、可視像となる反転現像がおこなわれる。現像装置１３の構成の詳細説明については省略する。複数のローラ３５、３６、３７により支持されて矢印方向に走行する、中間転写体３１が、感光体１１Ｙ、１１Ｃ、１１Ｍ、１１Ｋの上部に設けられている。この中間転写体３１は無端状で、各感光体１１の現像工程後の一部が接触するように張架、配置されている。また中間転写体３１の内周部には各感光体１１Ｙ、１１Ｃ、１１Ｍ、１１Ｋに対向させて１次転写ローラ１４Ｙ、１４Ｃ、１４Ｍ、１４Ｋが設けられている。
中間転写体３１の外周部には、ローラ３５に対向する位置にクリーニング装置３３が設けられている。このクリーニング装置３３は、中間転写体３１の表面に残留する不要なトナーや、紙粉などの異物を拭い去る。さらに、中間転写体３１の外周で、支持ローラの近傍には、２次転写ローラ３２が設けてある。中間転写体３１と二次転写ローラ３２の間に記録媒体（以下、用紙Ｐ）を通過させながら、二次転写ローラ３２にバイアスを印加することで中間転写体３１が担持するトナー画像が用紙Ｐに転写される。二次転写ローラ３２に印加される転写電流の極性は、トナーの極性と逆のプラス極性である。
【００１２】
画像形成装置１の下側には、用紙を供給可能に収納した給紙装置２０が配備されており、確実に一枚だけが搬送ローラ２１によりレジストローラ２２に送られる。更に、二次転写ローラ３２を通過した用紙は記録体の搬送方向下流に備えられた定着装置４０まで搬送される。
加熱手段を有する定着装置４０はローラ内部にヒータを備えるタイプ、加熱されるベルトを走行させるベルト定着装置、また加熱の方式に誘導加熱を採用した定着装置４０などが採用できる。定着装置４０は、フルカラーとモノクロ画像、あるいは片面か両面かにより定着条件を制御したり、用紙Ｐの種類に応じて最適な定着条件となるよう、不図示の制御手段により制御される。定着後の用紙Ｐは、排紙ローラ２４により、画像形成装置１の上部に設けた排紙スタック部に排紙、スタックさせる。
未使用のトナーが収納された各色のトナーカートリッジ３１Ｙ、３１Ｃ、３１Ｍ、３１Ｋが、着脱可能に感光体１１の上部の空間に収納される。図示しないモーノポンプやエアーポンプなどのトナー搬送手段により、各現像装置１３に必要に応じトナーを供給するようになっている。消耗の多いブラックトナー用のトナーカートリッジ３１Ｋを、特に大容量としておくことも可能である。
【００１３】
上記の構成においてフルカラー画像を形成する動作について説明する。
本実施の形態では画像形成装置１の構成から中間転写体３１に担持させた画像を用紙Ｐに、転写する場合は記録するべきデータが複数の頁になるケースでも、排紙スタック部上で頁が揃うように画像が用紙Ｐの下面に形成される。
画像形成装置１を稼動させると、中間転写体３１に接触している画像形成ユニット１０における感光体１１Ｙ、１1Ｃ、1１Ｍ、１1Ｋが回動する。まず、画像形成ユニット１０による画像形成から開始される。レーザとポリゴンミラー駆動の露光装置１８の作動により、イエロー用の画像データ対応の光が、帯電装置１２により一様帯電された感光体１１Ｙの表面に照射されて静電潜像が形成される。静電潜像は現像ローラ１３ａによりイエロートナーで現像され、可視像となり、１次転写ローラ１４Ｙの転写作用により感光体１１Ｙと同期して移動する中間転写体３１上に静電的に１次転写される。このような潜像形成、現像、１次転写動作が感光体１１1Ｃ、1１Ｍ、１1Ｋ側でもタイミングをとって順次同様に行われる。
この結果、中間転写体３１上には、イエロー、シアン、マゼンタ及びブラックの各色トナー画像が、順次重なり合ったフルカラートナー画像として担持され、中間転写体３１とともに矢印の方向に移動される。同時に給紙装置２０のなかの給紙カセットから、記録に使われる用紙Ｐがその供給のための給紙ローラ２１により繰り出され搬送される。用紙Ｐの先端がレジストローラ２２タイミングをとってレジストローラ２２が回転し、用紙Ｐを転写領域に搬送する。
【００１４】
中間転写体３１上のこのフルカラートナー画像は、中間転写体３１と同期して搬送される用紙Ｐの上面に、二次転写ローラ３２による転写作用を受けて転写される。二次転写ローラ３２に与えられるバイアスは、トナーの帯電極性と逆のプラス極性である。二次転写ローラ３２にトナーと同極性のバイアスを印加して行う事も可能である。
その後、中間転写体３１の表面が、ベルトクリーニング装置３３によりクリーニングされる。また１次転写を終了した画像形成ユニット１０における感光体１１Ｙ、１１Ｃ、１１Ｍ、１１Ｋの表面に残留するトナーは透明電極から印加された逆極性のバイアスと光源６から透明電極を介して照射された光りを受けて電荷注入され注入電荷と逆極性のバイアスを印加された回収ブラシにより、各感光体１１の表面から除去される。回収ブラシに回収されたトナーは作像終了後の一定のタイミングでブラシに回収時と逆のバイアスを印加することで感光体１１上に吐き出され、帯電装置１２を通過して現像装置１３に回収され再使用される。この時、帯電装置１２は感光体１１から離れている事が望ましい。
中間転写体３１に重ねられて担持されていたトナー画像が転写された用紙Ｐは、定着装置４０に向け移送される。用紙Ｐ上に重ねられていた各色のトナーが定着装置４０の熱による定着作用を受け、溶融、混色されて完全にカラー画像となる。制御手段で画像に応じて定着装置４０の使用する電力を最適に制御する場合もある。定着されたトナーも用紙上で完全に固着するまでは、搬送路のガイド部材等にこすられ、画像が欠落したり、乱れたりする事が有るので定着後の搬送にも注意が必要である。その後、排紙ローラ２４により排紙スタック部に、画像面が下向きとなって排紙される。排紙スタック部では後の頁の記録物が順次上に重ねられるようにスタックされるので、頁順が揃う。
【００１５】
次に、帯電装置１２について詳細に説明する。帯電装置１２は、感光体１１に対向配置される帯電部材としての帯電装置１２０と、帯電装置１２０が感光体１１と対向する面と反対側の面に当接するように配置される帯電クリーニング部材（図示せず）とからなる。
図２は、帯電ローラの断面図である。帯電装置１２０は、円柱状を呈する導電性支持体としての芯金１２０ａと、芯金１２０ａの外周面上に一様の厚さで形成された抵抗調整層１２０ｂと、抵抗調整層１２０ｂの表面を被覆して後述のようにリークを防止する保護層１２０ｃとを有する。
抵抗調整層１２０ｂは、樹脂組成物を押出成形又は射出成形等により芯金１２０ａの周面に設けることで形成される。また、抵抗調整層１２０ｂが経時で変形し、感光体１１と帯電装置１２０との間隙が変化するのを防ぐため、抵抗調整層１２０ｂのＪＩＳ−Ｄ硬度は４５度以上とする。
【００１６】
抵抗調整層１２０ｂに用いられる熱可塑性樹脂は、成形後のＪＩＳ−Ｄ硬度を保持することができれば特に限定するものでないが、ポリエチレン（ＰＥ）、ポリプロピレン（ＰＰ）、ポリメタクリル酸メチル（ＰＭＭＡ）、ポリスチレン（ＰＳ）及びその共重合体（ＡＳ、ＡＢＳ等）等の汎用樹脂を用いる方が、成形加工が容易であり好ましい。
抵抗調整層１２０ｂは、高分子型イオン導電剤が分散する熱可塑性樹脂組成物により形成されている。この抵抗調整層１２０ｂの体積固有抵抗値は、１０６〜１０９Ω・ｃｍであることが望ましい。体積固有抵抗値が１０９Ω・ｃｍを超えると帯電量が不足し、感光体１１がムラのない画像を得るために十分な帯電電位を得ることができなくなる一方、体積固有抵抗値が１０６Ω・ｃｍよりも小さいと感光体１１全体へのリークが生じるからである。
その熱可塑性樹脂に分散させる高分子型イオン導電剤としては、単体の抵抗値が１０６〜１０１０Ω・ｃｍ程度であり、樹脂の抵抗を下げやすいものが用いられる。
その一例として、ポリエーテルエステルアミド成分を含有する化合物が挙げられる。抵抗調整層１２０ｂの抵抗値を上記のように所望の値にするために、その配合量は、基材１００重量部に対して３０〜７０重量部の割合で配合することが好ましい。
【００１７】
また、高分子型イオン導電剤として、４級アンモニウム塩基含有高分子化合物を用いることもできる。例えば、４級アンモニウム塩基含有ポリオレフィン等が挙げられる。抵抗調整層１２０ｂの抵抗値を上記のように所望の値にするために、その配合量は、基材１００重量部に対して１０〜４０重量部の割合で配合することが好ましい。
上記高分子型イオン導電剤の熱可塑性樹脂への分散は、二軸混練機、ニーダー等の手段を用いることにより容易に行うことができる。イオン導電性の材料はマトリックスポリマー中に分子レベルで均一に分散するので、抵抗調整層１２０ｂには導電性顔料が分散する抵抗調整層に見られるような導電性物質の分散不良に伴う抵抗値のばらつきが生じない。また、イオン導電性の材料が高分子化合物であるため、マトリックスポリマー中に均一に分散して固定され、ブリードアウトが生じにくくなっている。
【００１８】
保護層１２０ｃは、その抵抗値が抵抗調整層１２０ｂの抵抗値よりも大きくなるように形成され、これにより感光体１１への欠陥部へのリークが回避される。但し、保護層１２０ｃの抵抗値を高くしすぎると、帯電効率が低下するため、保護層１２０ｃの抵抗値と抵抗調整層１２０ｂの抵抗値との差は１０３Ω・ｃｍ以下であることが好ましい。
保護層１２０ｃを形成する材料としては、製膜性が良好であるという点で樹脂材料が好適である。樹脂材料としては、フッ素樹脂、ポリアミド樹脂、ポリエステル樹脂又はポリビニルアセタール樹脂が非粘着性に優れ、トナーの付着を防止する観点から好ましい。また、樹脂材料は一般に電気的な絶縁性を有するため、樹脂材料単体で保護層１２０ｃを形成すると帯電ローラの特性が満たされない。そこで、上記の樹脂材料に対して各種の導電剤を分散させることによって、保護層１２０ｃの抵抗値を調整する。尚、保護層１２０ｃと抵抗調整層１２０ｂとの接着性を向上させるため、樹脂材料にイソシアネート等の反応硬化剤を分散させても良い。
【００１９】
帯電装置１２は、電源に接続されており、所定の電圧が印加される。その電圧は、直流（ＤＣ）電圧のみでもよいが、ＤＣ電圧に交流（ＡＣ）電圧を重畳させた電圧であることが好ましい。ＡＣ電圧を印加することにより、感光体１１表面をより均一に帯電することができる。本実施形態では、ＤＣ電圧にＡＣ電圧を重畳させている。
【００２０】
図３は、本発明の帯電装置の構成を示す概略図である。また、図４は、図３の矢印Ａ方向から見た図を示している。
本発明の帯電装置１２は、被帯電体である感光体１１の近傍に設けられている。感光体１１に設けられているフランジに挿入された中心軸を、図示されていない保持部および駆動部により回転駆動する。その感光体１１の中心軸に平行な任意の直線上に帯電部材である帯電ローラ１２０が配置され、その中心軸には金属による芯金１２０ａなどの導電性部材が設けられているが、これはおおむねの帯電ローラ１２０を回転させる軸１２１となる。その軸１２１の両端部をアーム部材１２２ａ、１２２ｂにてそれぞれ軸受１３０を介して保持されている。また、アーム１２２ａ、１２２ｂは、帯電ローラ１２０の中心軸に平行な任意の位置で旋回軸１２３ａ、１２３ｂにおのおの保持されており、旋回軸１２３中心に自由に旋回し、帯電ローラ１２０は、感光体１１表面に当接する。
ここで、アーム部材１２０ａ、１２０ｂは感光体１１の長手範囲の外側に配置され、旋回軸１２３ａ、１２３bの段形状により内側への移動位置を規制している。外側への位置規制は、スナップリング１２４にて行い、スナップリング１２４を取り外すことにより外側への移動が可能である。ここで、ワンタッチで取り外せるスナップリング１２４は旋回軸１２３ａ、１２３bの少なくとも一方に付けておればよく、残りの片側はＥリングなどで固定しておいてもよい。
【００２１】
帯電ローラ１２０を感光体１１に付勢する付勢手段であるスプリング１２５ａ、１２５bは、片側の端部をアーム部材１２２ａ、１２２bの帯電ローラ１２０の軸１２１付近で任意の位置に設けた突起部１２６ａ、１２６ｂにそれそれ差し込まれており、反対側の端部は電極板１２７と圧縮の反発にて接地した状態で取り付けられている。
さらに、電極部品１２８ａ、１２８ｂがアーム部材１２２ａ、１２２ｂに取り付けられており、スプリング１２５ａ、１２５bのアーム部材１２２ａ、１２２b側端部は圧縮の反発状態にて電極部品１２８ａ、１２８ｂと接地し、かつ電極部品１２８ａ、１２８ｂの他の部分で導電材質である軸受１３０に接地していることで、帯電ローラ１２０と電極板１２７を電気的に導通させている。ここで、被帯電体である感光体１１を帯電させる機能としては、電極部品１２８はアーム部材１２２の片側一方だけに取り付けていればよく、両側に取り付けることで、非導通状態となるリスクを低減できる。
図５は、本発明の帯電装置を交換作業の順序を示す概念図である。このような構成とすることで、図５に示すように、感光体１１の交換作業は、スプリング１２５ａ、１２５ｂを取り外し、アーム部材１２２ａ、１２２ｂの付勢を無くした状態で帯電ローラ１２０を感光体１１から付勢状態を離すことで容易におこなうことができる。また引き続き、帯電ローラ１２０の交換作業は、アーム部材１２２ａ、１２２ｂをおのおの矢印Ｂの方向にスライドさせ軸受１３０より軸１２１を抜くことにより容易におこなうことができる。
【００２２】
図６は、本発明の帯電装置の一部を拡大して、その構成を示す概略図である。図７は、本発明の帯電装置の一部を拡大して、圧縮スプリングが突起部に圧入された状態を示す概略図である。図６、図７に示すように、電圧を供給する電極板１２８とアーム部材１２２の間に設けた導電性の圧縮スプリング１２５で、その圧縮スプリング１２５の内径又は外形を圧入保持できる突起物１２６をアーム部材１２２に設け、その圧入部の接点により通電する。更に、ここでは、帯電装置１２における電圧を供給する電極板１２８とアーム部材１２２の間に設けた導電性の付勢手段である圧縮スプリング１２５の内径を保持する電極部品１２８の突起物１２６を示している。電極部品１２８の突起物１２６は、圧縮スプリング１２５の内径と勘合する巾βを設定している。突起物１２６に差し込まれた圧縮スプリング１２５は、巾βとの勘合にて保持されて、電極部品１２８と導通状態となる。分解時に、圧縮スプリング１２５が取り外れてしまうと紛失の可能性があり、アーム部材１２２の圧縮スプリング１２５としアーム部材１２２に圧入保持部を設けることで、紛失を防止し、かつ分解、組付性を向上させることを目的とする。また、帯電ローラ１２１を感光体１１に付勢する手段と導通部材を兼ねることで、構造を簡単にすることができる。
【００２３】
また、図８は、本発明の帯電装置の他の構成を示す概略図である。電圧を供給する電極板１２８とアーム部材１２２との間に設けた圧縮スプリング１２５は、電極板１２８側の任意の位置に設けられたフック形状の突起形状１２９により圧縮スプリング１２５の任意の部分にて引掛け保持できる。この突起形状１２９は、圧縮スプリング１２５が引っかけられれば十分であるが、引掛けた後に外れないようにフック形状である事が望ましい。
図８に示すように、帯電装置１２の電極板１２７におけるアーム部材１２２ａ、１２２ｂ付近に突起形状１２９を設けており、電極板１２７から付勢状態を解除した圧縮スプリング１２５の電極板１２７側端部付近を引掛け保持することができる。この状態にてアーム部材１２２ａ、１２２ｂは、感光体１１から離れたところに待機できるので、感光体１１の交換時に帯電ローラ１２１に接触することなく作業ができる。また、スナップリング１２４を外しアーム部材１２２ａ、１２２ｂをそれぞれ矢印Ｂの方向にスライドさせても、突起形状１２９で圧縮スプリング１２５は保持されているので、アーム部材１２２が電極板１２７側に軽く付勢された状態で帯電ローラ１２１の交換が容易に実施することができる。
分解時にアーム部材１２２より圧縮スプリング１２５を電極板１２７側から外すと、アーム部材１２２が旋回中心のみの固定となり、自由に回転してしまう。このような状態では、感光体１１の交換時にアーム部材１２２が干渉して感光体１１にキズをつけたりすることがあるが、これによって、電極板１２７側の付勢状態を取り外した圧縮スプリング１２５を利用して、分解時のアーム部材１２２を保持することで交換作業性の向上させることができる。また、アーム部材１２２を電極板１２９側に寄せて保持した状態でも、アーム部材１２２は帯電ローラ１２０の中心軸に平行な旋回軸１２３によりスライド移動させることが可能であるので、帯電ローラ１２０の交換も容易にできる。
【００２４】
電圧を供給する電極板とアーム部材の間に設けた導電性の付勢手段としての圧縮スプリングは、電極板側に設けられた凹又は凸形状にて圧縮スプリングの内径又は外形を保持する。
図９は、本発明の帯電装置の他の構成を示す概略図である。図１０は、図９の矢印Ａ方向から見た凹部の断面図を示している。電極板１２７の圧縮スプリング１２５の接地部分には、円形の凹部１２７ａが設けてあり、付勢状態の圧縮スプリング１２５の電極板側端面を落とし込んだ状態となっている。電極板１２７の表面に凹部１２７ａとして、圧縮スプリング１２５の外径より大きい直径のくぼみを設け、その中に納めることで保持する。
図１１は、図９の矢印Ａ方向から見た凸部の断面図を示している。また、電極板１２７に凸部１２７ｂを設け、圧縮スプリング１２５をこの凸部１２７ｂに挿入することで、保持する。
付勢手段である圧縮スプリング１２５を組付ける際、電極板１２７側に設けられた凹部１２７ａまたは、凸部１２７ｂにワンタッチで電極板１２７の所定の位置にはめ込み位置が保持できるので組付け作業の向上を目的とする。
【図面の簡単な説明】
【００２５】
【図１】本発明の画像形成装置の構成を示す概略図である。
【図２】帯電ローラの断面図である。
【図３】本発明の帯電装置の構成を示す概略図である。
【図４】矢印Ａ方向から見た図を示している。
【図５】本発明の帯電装置を交換作業の順序を示す概念図である。
【図６】本発明の帯電装置の一部を拡大して、その構成を示す概略図である
【図７】本発明の帯電装置の一部を拡大して、圧縮スプリングが突起部に圧入された状態を示す概略図である。
【図８】本発明の帯電装置の他の構成を示す概略図である。
【図９】本発明の帯電装置の他の構成を示す概略図である。
【図１０】矢印Ａ方向から見た凹部の断面図を示している。
【図１１】矢印Ａ方向から見た凸部の断面図を示している。
【図１２】従来の帯電装置の構成を示す概略図である。
【符号の説明】
【００２６】
１  画像形成装置
１０  画像形成ユニット
１１  感光体
１２  帯電装置
１２０  帯電ローラ
１２１  軸
１２２  アーム部材
１２３  旋回軸
１２４  スナップリング
１２５  スプリング
１２６  突起部
１２７  電極板
１２８  電極部品
１２９  突起形状
１３０  軸受
１３  現像装置
１３ａ  現像ローラ
１４  １次転写ローラ
１５  クリーニング部材
１８  露光装置
１９  トナーカートリッジ
２０  給紙装置
２１  搬送ローラ
２２  レジストローラ
２４  排紙ローラ
３０  中間転写装置
３１  中間転写体
３２  ２次転写ローラ
３３  クリーニング装置
３５、３６、３７  支持ローラ
４０  定着装置
Ｐ  用紙
【図１】
2009098540.tif 000003
【図２】
2009098540.tif 000004
【図３】
2009098540.tif 000005
【図４】
2009098540.tif 000006
【図５】
2009098540.tif 000007
【図６】
2009098540.tif 000008
【図７】
2009098540.tif 000009
【図８】
2009098540.tif 000010
【図９】
2009098540.tif 000011
【図１０】
2009098540.tif 000012
【図１１】
2009098540.tif 000013
【図１２】
2009098540.tif 000014